(57)【要約】      （修正有）【課題】手すり部が確実に固定されてその使用時における安定性や使い勝手に優れるとともに、トイレ内の便座周囲に容易に取り付けて利用できる施工性に優れたトイレ用手すりを提供する。【解決手段】便座周囲のトイレ床面にその前方側に開口して装入される左右側板１１ａ，１１ｂを備えたＵ字状敷設部材１１と、前記Ｕ字状敷設部材の左右側板にそれぞれ基端が立設される左右一対のパイプフレーム１２，１３と、前記パイプフレームの上側が水平方向に湾曲突出して略Ｒ字状に一体形成されるアームレスト部１４と、前記アームレスト部がその左右方向に拡縮するのを抑止する前記Ｕ字状敷設部材の裏面側に配置された補強用鉄板１５と、を有するようにトイレ用手すりを構成する。【選択図】図１
0003152333.tif 000002
【実用新案登録請求の範囲】
【請求項１】
トイレ内の洋式便座の周囲に着脱して設置されるトイレ用手すりであって、
前記便座周囲のトイレ床面にその前方側に開口して装入される左右側板を備えたＵ字状敷設部材と、前記Ｕ字状敷設部材の左右側板にそれぞれ基端が立設される左右一対のパイプフレームと、前記パイプフレームの上側が水平方向に湾曲突出して略Ｒ字状に一体形成されるアームレスト部と、前記アームレスト部がその左右方向に拡縮するのを抑止する前記Ｕ字状敷設部材の裏面側に配置された補強用鉄板と、を有することを特徴とするトイレ用手すり。
【請求項２】
前記Ｕ字状敷設部材の裏面には前記トイレ床面に密着する粘着面を有した滑り防止板が設けられていることを特徴とする請求項１記載のトイレ用手すり。
【請求項３】
前記アームレスト部が光触媒成分や抗菌剤成分を含むコーティング層で被覆され、前記トイレ内に設けられた照明用光源により清浄化されることを特徴とする請求項１又は２記載のトイレ用手すり。
【請求項４】
前記Ｕ字状敷設部材には便座使用者の足元操作やその通常使用により作動するセンサスイッチが設けられ、前記パイプフレームに内蔵された通信制御部を介してトイレ外部に設けた警報装置や携帯電話にアラーム信号やトイレ使用状況の信号を送信することを特徴とする請求項１〜３記載のトイレ用手すり。
【考案の詳細な説明】
【技術分野】
【０００１】
本考案は便座周囲に配置されるトイレ用手すりに係り、特に高齢者や障害者などがトイレにかがむ着座時や、その座位保持、起立動作を補助するのに好適なトイレ用手すりに関する。
【背景技術】
【０００２】
高齢者などが自身でトイレを利用するようにするためには、体を支えることができる手すりが必要になるが、身体障害者や高齢者のいない家庭では新築時に手すりを取り付けることは少なく、家族の者が身体障害者や高齢者になったときに後付けで設置することになる。
【０００３】
例えば、特許文献１には、床面の所定の位置に平坦な金属敷板を敷いてその上に金属座板を重ね合わせて載置し、金属座板の筒状突起にアルミパイプの表面を樹脂被膜した金属パイプの柱棒の下端を嵌合させ、金属パイプ柱棒の上端は内部に突き当り部のある接続具の金属パイプ柱棒挿入口に挿通させて固定し、前記接続具の手すり棒挿入口には金属パイプ手すり棒の端部を挿入固定し、これをトイレの両側に配置したトイレ用等の手すりが記載されている。
【０００４】
このようなトイレ用手すりは、床面にビス孔などをあける必要があるために住宅改修費を要し、賃貸住宅のように床にビス孔をあけることができない場合には使用できない。さらに、トイレ壁内に手すり固定用の柱を入れる等の補強をする必要があるとともに、壁面に取り付ける手すりの取り付け位置が決まってしまい、使用者に使いやすい位置に取り付けることはできなかった。
そこで、特許文献２には、トイレ利用者の身体を支えるための手すりであって、床面に敷設するマット部材と、前記マット部材から垂直方向に立設する支柱部材と、前記支柱部材の上端に取り付けられ、上面が平坦部で構成されたアームレスト部材とを備えたトイレ用手すりが記載されている。
【先行技術文献】
【特許文献】
【０００５】
【特許文献１】特開２０００−１７４号公報
【特許文献２】実用新案登録第３１３７４９７号公報
【考案の概要】
【考案が解決しようとする課題】
【０００６】
しかしながら、前記特許文献２のような従来のトイレ用手すりでは、基本的に平板状の部材を組み合わせて構成されているために、手すり部が利用者の自重によりたわみ易く剛性に欠けるために、その使用に際して不安定感を与えるという欠点があった。
さらに、温水洗浄の操作ボックスなどが便器に配置されている場合には、手すり部を配置する際にこの操作ボックスが干渉して取り付けができなかったり、上端に取り付けられたアームレストが利用者の左右方向に延びているために操作ボックスとオーバーラップしたりして操作しづらいなどの問題があった。
【０００７】
本考案は前記従来の課題を解決するためになされたものであって、手すりとなるアームレスト部が確実に固定されてその使用時における安定性や使い勝手に優れるとともに、トイレ内の便座周囲に容易に取り付けて利用できる施工性に優れたトイレ用手すりを提供することを目的とする。
【課題を解決するための手段】
【０００８】
（１）前記従来の課題を解決するためになされた本考案は、トイレ内の洋式便座の周囲に着脱して設置されるトイレ用手すりであって、前記便座周囲のトイレ床面にその前方側に開口して装入される左右側板を備えたＵ字状敷設部材と、前記Ｕ字状敷設部材の左右側板にそれぞれ基端が立設される左右一対のパイプフレームと、前記パイプフレームの上側が水平方向に湾曲突出して略Ｒ字状に一体形成されるアームレスト部と、前記アームレスト部がその左右方向に拡縮するのを抑止する前記Ｕ字状敷設部材の裏面側に配置された補強用鉄板と、を有するように構成されている。
【０００９】
（２）本考案は前記（１）のトイレ用手すりにおいて、前記Ｕ字状敷設部材の裏面には前記トイレ床面に密着する粘着面や吸着面を有した滑り防止板が設けられていることにも特徴を有している。
【００１０】
（３）本考案は前記（１）又は（２）のトイレ用手すりにおいて、前記アームレスト部が光触媒成分や抗菌剤成分を含むコーティング層で被覆され、前記トイレ内に設けられた照明用光源により清浄化されることにも特徴を有している。
【００１１】
（４）本考案は前記（１）〜（３）のトイレ用手すりにおいて、前記Ｕ字状敷設部材には便座使用者の足元操作やその通常使用により作動するセンサスイッチが設けられ、前記パイプフレームに内蔵された通信制御部を介してトイレ外部に設けた警報装置や携帯電話にアラーム信号やトイレ使用状況の信号を送信することにも特徴を有している。
【考案の効果】
【００１２】
本考案によれば、前記便座周囲のトイレ床面にその前方側に開口して装入される左右側板を備えたＵ字状敷設部材と、前記Ｕ字状敷設部材の左右側板にそれぞれ基端が立設される左右一対のパイプフレームと、前記パイプフレームの上側が水平方向に湾曲突出して略Ｒ字状に一体形成されるアームレスト部と、前記アームレスト部がその左右方向に拡縮するのを抑止する前記Ｕ字状敷設部材の裏面側に配置された補強用鉄板と、を有するので、手すり部が確実に固定されてその使用時における安定性や使い勝手に優れたトイレ用手すりを提供することができる。さらに、トイレ内の便座周囲に容易に取り付けて利用できる施工性に優れたものとすることができる。
【図面の簡単な説明】
【００１３】
【図１】実施例１のトイレ用手すりの使用形態を示す斜視図である。
【図２】実施例１のトイレ用手すりの正面図である。
【図３】実施例１のトイレ用手すりの側面図である。
【図４】実施例１のトイレ用手すりの平面図である。
【図５】実施例２のトイレ用手すりの斜視図である。
【考案を実施するための形態】
【００１４】
本考案の一実施形態に係るトイレ用手すりは、便座周囲のトイレ床面にその前方側に開口して装入される左右側板を備えたＵ字状敷設部材と、前記Ｕ字状敷設部材の左右側板にそれぞれ基端が立設される左右一対のパイプフレームと、前記パイプフレームの上側が水平方向に湾曲突出して略Ｒ字状に一体形成されるアームレスト部と、前記アームレスト部がその左右方向に拡縮するのを抑止する前記Ｕ字状敷設部材の裏面側に配置された補強用鉄板と、を有する。
これによって、アームレスト部を左右にたわむことなく確実に固定してその使用時における安定性や使い勝手に優れたトイレ用手すりとすることができる。トイレ内に配置された便座の周囲にその前方側から装入してトイレ用手すりを着脱配置することができ、トイレ本体壁などへの特別な補強工事を要することもなく便座の周囲に手すりを設けることができ、トイレ用手すりを手軽かつ安価に導入することができる。
【００１５】
本実施形態のトイレ用手すりは、足腰の不自由な老人や身体障害者などでも楽に使用できるようにした構造のものであって、トイレ内の便座の前方から装入して配置される。
また、このトイレ用手すりは、利用者の前後方向に水平に延在するアームレスト部を左右に備えている。高齢者は、略Ｒ字状に突出したアームレスト部に沿って伝い歩きしながら前記アームレスト部を把持しつつ便座に着座し、その起立時には手すりとなるアームレスト部で体重を支えて便座から立ち上がることができる。
この手すりは高齢者や身障者が用いるトイレ内に設置され、高齢者等は、腰掛け式洋風便座などを利用するに際し、手すりを掴んで便座に腰を下ろし、或いは便座から立ち上がる際、手すりを掴んで立ち上がる等の動作を行なう際の補助具とすることができる。このようなトイレ用手すりは、介護施設などにおいて、トイレ使用時の補助具として重要な設置物である。
なお、アームレスト部は、便座側方上部に所定の高さで、略水平に直線状に設けられ、その高さは、いわゆるアームレストとして使用する肘掛けとしての高さ、或いは便座への腰掛けや、立ち上がり挙動に合わせた高さの何れかに設定されている。
【００１６】
Ｕ字状敷設部材は、例えば、ステンレススチール製など金属板や、高強度プラスチック製などの樹脂板からなり、便座周囲のトイレ床面にその前方側に略Ｕ字状や略コの字状に開口して装入される左右側板を備えたものである。なお、このようなＵ字状敷設部材の表面を必要に応じて、ポリエチレン樹脂やポリプロピレン樹脂などで被覆して、耐汚染性やデザイン性などが付加されるようにしてもよい。
【００１７】
パイプフレームは、例えば、その直径が２０〜４０ｍｍの金属製パイプ材や樹脂製パイプ材などをＲ字状に湾曲させて一体に形成したものなどであって、前記Ｕ字状敷設部材の左右側板にそれぞれ基端が立設されている。
こうして、使用者が把持するアームレストとしての把持部分をパイプ状として、便座から立ち上がるときに使用者が手すりを握り易いものとしている。
【００１８】
アームレスト部は、一体形成されるパイプフレームの上側が略Ｒ字状に湾曲して水平方向に突出して部分であって、着座時や起立時における利用者による動作をそのパイプの把持により補助して、その安全性を確保させる機能を有している。
【００１９】
補強用鉄板は、例えば、その厚みが３〜６ｍｍとなる高強度の金属板などからなる略矩形状や略Ｕ字状の板材であって、前記アームレスト部が着座した利用者に対してその左右方向に拡縮するのを抑止することができるように、前記Ｕ字状敷設部材の表又は裏面側に配置されている。
なお、前記パイプフレームの基端を補強用鉄板に設けた貫通孔に装入して、ボルトナットなどを介してパイプフレームを補強用鉄板に直接固定するようにしてもよい。
【００２０】
本実施形態のトイレ用手すりでは、前記Ｕ字状敷設部材の裏面には前記トイレ床面に密着する粘着面や吸着面を有した滑り防止板を設けることもできる。これによって、Ｕ字状敷設部材をトイレ床面の所定位置にずれることなく安定的に設置することができ、トイレ利用者の着座動作や起立動作をさらに安全に補助させることができる。
滑り防止板は、例えば、粘着性のゴムや合成樹脂などにより形成されたプレート状であって、トイレ床面とのその当接面を摩擦力が大きくなるようにジグザグ状や吸盤状に形成したものなどを適用できる。
【００２１】
さらに本実施形態のトイレ用手すりでは、前記アームレスト部が光触媒成分や抗菌剤成分を含むコーティング層で被覆され、前記トイレ内に設けられた照明用光源により清浄化することもできる。これによって、励起用となる照明用光源の照度が低く、かつ汚れ負荷の大きな浴室用部材等に関しても親水性を良好に維持して、基材表面を長期にわたり人手をかけることなくトイレ用手すりを清浄状態に保持することが可能となる。
光触媒成分としては、公知のものが適用可能であり、例えば、アナタ−ゼ型などの酸化チタンや、酸化錫、酸化亜鉛、三酸化二ビスマス、三酸化タングステン、酸化第二鉄、チタン酸ストロンチウムの群から選ばれる１種又は２種以上のものなどが使用でき、これらの光触媒粒子を含有した樹脂層をアームレスト部となるパイプフレームに被覆して用いることができる。
また、抗菌剤成分としては、例えば、銀、銅、亜鉛化合物などの金属イオンの殺菌作用を利用した無機系抗菌剤や、化学合成した有機化合物を利用した合成系抗菌剤、ヒノキチオールやフィトンチッドなどの天然系有機抗菌剤などを含む公知の抗菌剤類を前記光触媒成分と組み合わせて、パイプフレームに形成したゴム状表面層などに含有させて適用することもできる。
【００２２】
また、本実施形態のトイレ用手すりにおいては、前記Ｕ字状敷設部材には便座利用者の足元操作やその通常使用により作動するセンサスイッチを設け、前記パイプフレームに内蔵された通信制御部を介してトイレ外部に設けた警報装置や携帯電話にアラーム信号やトイレ使用状況の信号を送信することもできる。
これによって、病人や高齢者などがトイレを利用する際にその利用状態を確認したり、緊急事態発生時の連絡を行ったりすることを可能として、介護現場などにおける安全性を確保することができる。
【００２３】
センサスイッチとしては例えば、左右のアームレスト部を利用者が把持して拡縮する際に、この補強用鉄板に付加される応力を検知するストレインゲージや、Ｕ字状敷設部材の表面に設けられて着座した利用者による足元操作を可能にした圧力センサなどを適用することができる。
【００２４】
通信制御部は、例えば、ＩＣチップなどのマイクロコンピュータと外部のコンピュータや警報装置に接続する無線ＬＡＮ装置を含むものであって、前記センサスイッチから取得される検知信号に基づいて、所定の警報動作などを外部コンピュータに送信する機能を有している。
【実施例１】
【００２５】
以下、本考案に係る実施例１について図面に基づいて説明する。図１は実施例１のトイレ用手すりの使用形態を示す斜視図である。図２〜図４はそれぞれ実施例１のトイレ用手すりの正面図及びその側面図、平面図である。
図示するように、実施例１のトイレ用手すり１０は、洋式便座３０を備えたトイレの床面に設置されて、トイレ利用者の着座及び起立動作を補助するのに用いられる。
【００２６】
トイレ用手すり１０は、洋式便座３０の周囲のトイレ床面に、洋式便座３０の前方側から装入される左右側板１１ａ、１１ｂを備えたＵ字状敷設部材１１が設置されており、
該Ｕ字状敷設部材１１の左右側板１１ａ、１１ｂにそれぞれ基端が立設される左右一対のパイプフレーム１２、１３と、該パイプフレーム上側が水平方向に湾曲突出して略Ｒ字状に一体形成されるアームレスト部１４と、アームレスト部１４がその左右方向に拡縮するのを抑止するＵ字状敷設部材１１の裏面側に配置された補強用鉄板１５とにより構成されている。
【００２７】
Ｕ字状敷設部材１１は、その左右側板１１ａ、１１ｂによりトイレ床面に略Ｕ字状に敷設配置される厚みが約２〜５ｍｍのスチール板からなる。この左右側板１１ａ、１１ｂの前後方向にそれぞれ設けたパイプ貫通孔に、フランジ部１６を有したパイプフレーム１２、１３の基部を装入して、Ｕ字状敷設部材１１の裏面側から挿入した平ボルトなどにより締め付けて固定するようにしている。
【００２８】
パイプフレーム１２、１３は、図示するように、その全体が略Ｒ字状に折り曲げて形成された太さが約５０ｍｍのステンレス製パイプである。なお、そのＲ字状上端となるアームレスト部１４には、必要に応じて合成樹脂材やゴム材からなる被覆層を設けることができる。これによって、利用者がアームレスト部１４を握る際に滑り難くするとともに、その触感がソフトで温かみのあるものとすることができる。
【００２９】
Ｕ字状敷設部材１１の左右側板１１ａ、１１ｂに立設されるパイプフレーム１２、１３は、利用者がそれぞれのアームレスト部１４を把持して動作（起立動作、着座動作）する際に、アームレスト部１４が両側幅方向に拡大する作用が働くが、これを妨げるように所定厚み例えば約２〜４ｍｍの補強用鉄板１５をＵ字状敷設部材１１の裏面に配置している。なお、左右側板１１ａ、１１ｂにおけるアームレスト部１４の利用者の背面側間に補強パイプを、フック状係止部材などを介して着脱自在に取り付けてそのアームレスト部間の変形（拡幅など）を防止するための強度補強を必要に応じて行なうようにすることもできる。
【００３０】
トイレ用手すり１０は、トイレ内の洋式便座３０に取り付ける前には、パイプフレーム１２、１３及びＵ字状敷設部材１１とに嵩張ることなく分解して、コンパクトに収納できる。こうして、トイレ用手すりをトイレに設置するときには、図１のように組み立てられたトイレ用手すり１０のＵ字状の開口部分側から洋式便座３０の周囲に挿入してトイレ内の所定位置に配置する。
この際、図３の側面図に示すように、左右のパイプフレーム１２、１３間には洋式便座３０に干渉するような障害物がないためトイレ用手すり１０の取り付け作業を容易に行なうことができる。こうして、トイレ用手すり１０は、そのアームレスト部が拡縮することがなくその使用時における安定性や使い勝手に優れているとともに、トイレ内の既存の便座周囲に容易に取り付けることができ、施工性にも優れたものとすることができる。
【実施例２】
【００３１】
以下、本考案に係る実施例２について図面に基づいて説明する。図５は実施例２のトイレ用手すりの斜視図である。なお、実施例２のトイレ用手すり２０は、実施例１のトイレ用手すり１０のものに、（ａ）アームレスト部の高さ調節機能及び、（ｂ）補強用鉄板に配置した感圧スイッチによる外部への警報機能、（ｃ）アームレスト部に被覆した光触媒層による汚染防止機能などを付加したものである。以下の説明において、実施例１と同様の機能を有するものについては同一の符号を付してその詳しい説明を省略するものとする。
【００３２】
図示するように、実施例２のトイレ用手すり２０は、実施例１のトイレ用手すり１０の構成に加えて、パイプフレーム１２、１３の脚部を伸縮してアームレスト部１４を利用者に適した高さに設定できる高さ調節機構２１を設けている。このような高さ調節機構２１は、例えば、パイプフレーム１２、１３の脚部を内管とこれにスライドして嵌合する外管とからなる二重管構造として、スライド位置で内管と外管を固定するストッパー部材を設けることで構成することができる。
また、トイレ用手すり２０は、光触媒成分や抗菌剤成分を含有する合成樹脂層２２でアームレスト部１４を被覆しており、トイレ内に設けた照明用光源などを励起光として作用させることで、その清掃機能や殺菌機能をより有効に機能させることも可能にしている。
さらに、トイレ用手すり２０では、ストレインゲージなどからなる感圧センサ２３を補強用鉄板１５に配置している。これによって、左右のパイプフレーム１２、１３を利用者が把持してその拡大縮小方向に負荷したときに補強用鉄板１５に発生する応力を検知できるようにしている。なお、利用者が直接的に感圧センサ２３を足先で操作することによって、センサ信号が送信できるようにしてもよい。
この感圧センサ２３は、パイプフレーム１２に内蔵した通信制御部２４に接続されている。通信制御部２４は、感圧センサ２３から送信されるセンサ信号を予め組み込まれた判定プログラムにより判定して、所定の警報信号などをトイレ外部に設けたコンピュータや警報装置に無線送信したり、所定の携帯電話機などにメール送信したりすることを可能にしている。
【産業上の利用可能性】
【００３３】
以上説明したように、本考案のトイレ用手すりは、便座の前方側から挿入され、左右側板を備えたＵ字状敷設部材と、このＵ字状敷設部材に立設される略Ｒ字状のパイプフレームと、このパイプフレームのアームレスト部がその左右方向に拡縮するのを抑止する補強用鉄板と、を有することを要旨とするものであり、これによって高齢者などが利用する際にアームレスト部が左右にぐらつくことがなく、その使用時における安定性を確保できる。また、既存の便座周囲に容易に取り付けて高齢者などが利用することのできる介護環境を安価に構築することができる。
【符号の説明】
【００３４】
１０    実施例１のトイレ用手すり
１１    Ｕ字状敷設部材
１１ａ    左側板
１１ｂ    右側板
１２    パイプフレーム
１３    パイプフレーム
１４    アームレスト部
１５    補強用鉄板
１６    フランジ部
２０    実施例２のトイレ用手すり
２１    高さ調節機構
２２    合成樹脂層
２３    感圧センサ
２４    通信制御部
３０    洋式便座
【図１】
0003152333.tif 000003
【図２】
0003152333.tif 000004
【図３】
0003152333.tif 000005
【図４】
0003152333.tif 000006
【図５】
0003152333.tif 000007
【手続補正書】
【提出日】平成21年5月22日(2009.5.22)
【手続補正１】
【補正対象書類名】実用新案登録請求の範囲
【補正対象項目名】請求項４
【補正方法】変更
【補正の内容】
【請求項４】
前記Ｕ字状敷設部材には便座使用者の足元操作やその通常使用により作動するセンサス
イッチが設けられ、前記パイプフレームに内蔵された通信制御部を介してトイレ外部に設
けた警報装置や携帯電話にアラーム信号やトイレ使用状況の信号を送信することを特徴と
する請求項１〜３のいずれか一項に記載のトイレ用手すり。